(57)【要約】【課題】タッチパネルを備えた情報処理装置において、任意の位置に配置されているファイル等オブジェクトについて複数を選択可能な状態とすること。【解決手段】タッチパネルを備えた情報処理装置において、タッチパネルに対する接触を検知する接触検知部と、タッチパネルと操作部との近接状態を検知する近接検知部とを具備する。更に、前記接触検知部によって検知された接触と前記近接検知部によって検知された近接状態に応じてファイル操作を行うファイル操作部を具備する。【選択図】図１
2015084124.tif 000002
【特許請求の範囲】
【請求項１】
特許請求の範囲パネルを備えた情報処理装置において、
タッチパネルと入力指示部との接触を検知する接触検知部と、
タッチパネルと入力指示部との近接状態を検知する近接検知部と、
タッチパネルに画面を表示する表示部と、
前記表示部への表示を制御する表示制御部と、
前記接触検知部によって検知された接触と前記近接検知部によって検知された近接状態に応じてファイル操作を行うファイル操作部とを具備し、
前記ファイル操作部は、前記接触検知部における入力指示部のファイル表示領域内の所定時間の接触検知によりファイルを選択し、選択後に前記近接検知部において近接状態を検知している状態ではファイルの選択状態を維持することを特徴とする情報処理装置。
【請求項２】
前記ファイル操作部は、前記ファイルの選択状態を維持している状態において、前記接触検知部の他のファイルの表示領域内の所定時間の接触検知により選択を可能とすることを特徴とする請求項１記載の情報処理装置。
【請求項３】
前記ファイル操作部は、前記ファイルの選択状態を維持している状態において、前記近接検知部で近接状態を検知できなくなった場合にファイルの選択状態を解除することを特徴とする請求項１記載の情報処理装置。
【請求項４】
前記ファイル操作部は、前記近接検知部でタッチパネルと入力指示部の近接状態を検知できなくなった場合に、所定の期間内に前記近接検知部で入力指示部の近接状態を検知できればファイルの選択状態を元に戻すことを特徴とする請求項３記載の情報処理装置。
【請求項５】
前記ファイル操作部は、ファイルの選択状態において前記近接検知部において測定されたタッチパネルと入力指示部の距離に応じて、前記表示制御部に対してファイルの選択状態の表示方法を変化させることを特徴とする請求項１乃至４項の何れか一項に記載の情報処理装置。
【請求項６】
前記ファイル操作部は、選択されているファイルがあり、かつ前記近接検知部において入力指示部の近接状態を検知している状態で、前記接触検知部においてファイルの表示領域外において入力指示部が所定の接触動作をした場合、画面をスクロールし、その際にファイルの選択状態は解除されないことを特徴とする請求項１記載の情報処理装置。
【請求項７】
前記近接検知部によって入力指示部の近接状態が検知できなくなった場合に所定の期間振動する振動部をさらに具備する請求項３乃至４項の何れか一項に記載の情報処理装置。
【請求項８】
前記近接検知部によって入力指示部の近接状態が検知できなくなった場合に所定の期間音を鳴らす音響部をさらに具備する請求項３乃至４項の何れか一項に記載の情報処理装置。
【請求項９】
前記表示制御部において、前記近接検知部によって入力指示部の近接状態が検知できなくなった場合に所定の期間で特定のアイコンを表示させることを特徴とする請求項３乃至４項の何れか一項に記載の情報処理装置。
【請求項１０】
前記近接検知部によって入力指示部の近接状態が検知できなくなった場合に所定の期間点灯または消灯する点灯部をさらに具備する請求項３乃至４項の何れか一項に記載の情報処理装置。
【発明の詳細な説明】
【技術分野】
【０００１】
本発明は、タッチパネルを備えた情報処理装置に関する。
【背景技術】
【０００２】
近年、携帯情報端末、携帯電話端末などの各種情報処理装置において、入力装置としてタッチパネルを備えたものが広く用いられつつある。タッチパネルは表示と入力の機能を備えており、情報端末のユーザーインターフェース等の画面を表示するとともに、ユーザーが画面に表示されたオブジェクト、ボタン等を指で触れて操作することができる。またはスタイラスと呼ばれるペン等で操作することも可能である。ユーザーは画面に表示されたオブジェクトに対して操作するため、直感的な操作が可能となる。
【０００３】
近年はこれらに加え、ユーザーの指がタッチパネルに接触する前の近接状態を検知することにより、タッチパネルを用いた情報処理装置の操作性を向上させる装置が出てきている。ここで近接を検知するタッチパネルとしては、例えば静電容量の変化を検知するものが知られており、ユーザーの指とタッチパネル上の電極との間に生じる静電容量の検知感度を高めることによって、ユーザーの指の接触だけでなく近接状態についても検知するようにしたものである。
【０００４】
特許文献１、特許文献２には、近接状態の検知を利用したファイル等の操作について開示されている。
【先行技術文献】
【特許文献】
【０００５】
【特許文献１】特開２０１０―２２４６６３号公報
【特許文献２】特開２０１１−０２２９６１号公報
【発明の概要】
【発明が解決しようとする課題】
【０００６】
しかしながら、特許文献１における従来例において、複数のファイルを選択状態にすることはできない。そのためファイルを選択してドラッグ等させたい場合、１つずつしか操作できず、まとめて操作することができない。また特許文献２においては、複数のファイルを選択することは可能だが、選択できるのは隣接したファイルのみで、任意の位置に配置されているファイルについて複数を選択状態にすることはできない。
【０００７】
本発明は、これら従来の問題点を解決するためになされたもので、タッチパネルと入力指示部（指、スタイラス等）の近接状態の維持を検知することで任意のオブジェクトを複数選択可能にする情報処理装置提供する。
【課題を解決するための手段】
【０００８】
前記従来の課題を解決するため、本発明の第一のタッチパネルを備えた情報処理装置は、タッチパネルと入力指示部との接触を検知する接触検知部と、タッチパネルと入力指示部との近接状態を検知する近接検知部と、タッチパネルに画面を表示する表示部と、前記表示部への表示を制御する表示制御部と、前記接触検知部によって検知された接触と前記近接検知部によって検知された近接状態に応じた処理を行うファイル操作部とを具備する。更に前記ファイル操作部は、前記接触検知部における入力指示部のファイル表示領域内の所定時間の接触検知によりファイルを選択し、選択後に前記近接検知部において近接状態を検知している状態ではファイルの選択状態を維持する制御を行う。
【０００９】
この構成により、タッチパネルを搭載した情報端末上で指をタッチパネルから離しても指がタッチパネルから近い位置にあればファイルの選択状態を維持することができる。
【００１０】
本発明の第二のタッチパネルを備えた情報処理装置は、前記ファイル操作部は、前記ファイルの選択状態を維持している状態において、前記接触検知部の他のファイルの表示領域内の所定時間の接触検知により選択を可能とする制御を備える。
【００１１】
この構成により、任意の複数のファイルを選択することが可能となり、それらの一括操作を可能にすることができる。
【００１２】
本発明の第三のタッチパネルを備えた情報処理装置は、前記ファイル操作部は、前記ファイルの選択状態を維持している状態において、前記近接検知部で近接状態を検知できなくなった場合にファイルの選択状態を解除する制御を備える。
【００１３】
この構成により、簡単にファイルの選択状態を解除することが可能となる。
【００１４】
本発明の第四のタッチパネルを備えた情報処理装置は、前記第三のタッチパネルを備えた情報処理装置において、前記ファイル操作部は、前記近接検知部でタッチパネルと入力指示部の近接状態を検知できなくなった場合に、所定の期間内に前記近接検知部で近接状態を検知できればファイルの選択状態を元に戻す制御を備える。
【００１５】
この構成により、誤って指をタッチパネルから離した場合でも、所定の期間内に指の位置をタッチパネルに近づけることでファイルの選択状態を維持することができる。
【００１６】
本発明の第五のタッチパネルを備えた情報処理装置は、前記ファイル操作部は、ファイルの選択状態の際に前記近接検知部において測定されたタッチパネルと入力指示部の距離に応じて、ファイルの選択状態の表示方法を変化させる制御を備える。
【００１７】
この構成により、ユーザーの指がどれだけタッチパネルから離れているか表示画面で確認でき、誤ってファイルの選択状態を解除することを減らすことができる。
【００１８】
本発明の第六のタッチパネルを備えた情報処理装置は、前記ファイル操作部は、選択されているファイルがあり、かつ前記近接検知部において入力指示部の近接状態を検知している状態で、前記接触検知部においてファイルの表示領域外において入力指示部が所定の接触動作をした場合、画面をスクロールし、その際にファイルの選択状態は解除されない制御を備える。
【００１９】
この構成により、ファイルを選択した状態で、画面をスクロールし、そのスクロール先においても追加でファイルを選択することが可能となる。
【００２０】
本発明の第七のタッチパネルを備えた情報処理装置は、前記第三または第四のタッチパネルを備えた情報処理装置において、前記近接検知部によって入力指示部の近接状態が検知できなくなった場合に所定の期間振動する振動部をさらに備える。
【００２１】
この構成により、ユーザーの指がタッチパネルから離れていることを振動で確認でき、誤ってファイルの選択状態を解除することを減らすことができる。
【００２２】
本発明の第八のタッチパネルを備えた情報処理装置は、前記第三または第四のタッチパネルを備えた情報処理装置において、前記近接検知部によって入力指示部の近接状態が検知できなくなった場合に所定の期間音を鳴らす音響部をさらに備える。
【００２３】
この構成により、ユーザーの指がタッチパネルから離れていることを音で確認でき、誤ってファイルの選択状態を解除することを減らすことができる。
【００２４】
本発明の第九のタッチパネルを備えた情報処理装置は、前記第三または第四のタッチパネルを備えた情報処理装置において、前記表示制御部において、前記近接検知部によって入力指示部の近接状態が検知できなくなった場合に所定の期間で特定のアイコンを表示させる制御を備える。
【００２５】
この構成により、ユーザーの指がタッチパネルから離れていることをアイコンで確認でき、誤ってファイルの選択状態を解除することを減らすことができる。
【００２６】
本発明の第十のタッチパネルを備えた情報処理装置は、前記第三または第四のタッチパネルを備えた情報処理装置において、前記近接検知部によって入力指示部の近接状態が検知できなくなった場合に所定の期間点灯または消灯する点灯部をさらに備える。
【００２７】
この構成により、ユーザーの指がタッチパネルから離れていることを点灯または消灯で確認でき、誤ってファイルの選択状態を解除することを減らすことができる。
【発明の効果】
【００２８】
本発明によれば、タッチパネルの操作性を向上することが可能な情報処理装置を提供することができる。
【図面の簡単な説明】
【００２９】
【図１】本発明の実施の形態１における情報処理装置の構成を示すブロック図
【図２】本発明の実施の形態１における情報処理装置の動作を説明するフローチャート
【図３】近接状態検知領域の模式図
【図４】本発明の実施の形態２における情報処理装置の動作を説明するフローチャート
【図５】タッチパネルと入力指示部の距離算出方法の説明図
【図６】本発明の実施の形態３における情報処理装置の構成を示すブロック図
【図７】本発明の実施の形態３における情報処理装置の動作を説明するフローチャート
【発明を実施するための形態】
【００３０】
以下、本発明の実施の形態について、図面を参照しながら説明する。
【００３１】
（実施の形態１）
図１は本発明の実施の形態１における情報処理装置の構成を示すブロック図である。なお、図１においては、発明にかかる構成のみを図示しており、適応される装置等におけるその他の要素についての図示は省略する。
【００３２】
情報処理装置１００は、タッチパネル１０１、接触検知部１０２、近接検知部１０３、ファイル操作部１０４、記憶部１０５、表示制御部１０６、および表示部１０７を備えており、情報処理装置１００はユーザーインターフェースとして複数のファイル等のオブジェクトをタッチパネル１０１の表示部１０７に表示する。
【００３３】
タッチパネル１０１は指、スタイラス等の入力指示部の接触の検知だけでなく、入力指示部の近接状態を検知可能であり、接触検知部１０２で入力指示部の接触を検知し、近接検知部１０３で入力指示部の近接状態を検知する。
【００３４】
接触検知部１０２は、例えば透明電極膜２枚を、隙間を設けて重ねることによって、入力指示部で押されると電極膜が接触し電気が流れ位置を特定できる方式、または入力指示部と透明電極膜が貼られているタッチパネルとの間に生じる静電容量の変化を検知する方式により入力指示部の接触状態を検知する。
【００３５】
近接検知部１０３は、例えば入力指示部と透明電極膜が貼られているタッチパネルとの間に生じる静電容量の変化を検知する方式、またはタッチパネルの上下、もしくは左右に取り付けられた光もしくは電波を送受する方式により入力指示部の近接状態を検知する。
【００３６】
ファイル操作部１０４は接触検知部１０２、または近接検知部１０３での入力指示部の検知をもとに記憶部１０５に保存されているファイルを制御する。
【００３７】
記憶部１０５はファイル操作部１０４が操作するファイルが保存されている。
【００３８】
表示制御部１０６はファイル操作部におけるファイルの選択制御に応じて、ファイルが選択状態の場合はファイルの表示を変更する制御を行う。
【００３９】
表示部１０７は表示制御部１０６の制御に従ってファイルの表示を行う。
【００４０】
図２は、本発明の実施の形態１における情報処理装置１００の動作を説明するフローチャートである。なお、タッチパネル１０１の表示部１０７には複数のファイルが表示されている状態を前提とする。
【００４１】
まず接触検知部１０２が、ユーザーの入力指示部がタッチパネル１０１のファイル表示領域に一定時間接触していることを検知する（ステップＳ１）。
【００４２】
ファイル操作部１０４が接触位置に表示されているファイルを選択状態に変更し、表示制御部１０６は選択状態に変更されたファイルの表示色を変更する（ステップＳ２）。
【００４３】
接触検知部１０２がユーザーの入力指示部がタッチパネル１０１との接触を検知し続けている場合は（ステップＳ３：ＮＯ）、選択状態のファイルに対してドラッグ等のファイル操作を行う（ステップＳ４）。
【００４４】
接触検知部１０２がユーザーの入力指示部がタッチパネル１０１との接触を検知しなくなった場合は（ステップＳ３：ＹＥＳ）、近接状態処理を実施する（ステップＳ５）。
【００４５】
近接状態処理では、まず近接検知部１０３により入力指示部が検知されていない場合は（ステップＳ６：ＮＯ）、ファイル操作部１０４は選択されている全ファイルの選択状態を解除し、表示制御部１０６は選択状態が解除されたファイルの表示を元の表示に戻す（ステップＳ７）。
【００４６】
近接検知部１０３により入力指示部の近接状態が検知されている場合は（ステップＳ６：ＹＥＳ）、ファイル操作部１０４は現在のファイルの選択状態を維持する（ステップＳ８）。
【００４７】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域だった場合（ステップＳ１０：ＹＥＳ）、ファイル操作部１０４はその接触された領域のファイルの選択状態を解除し、表示制御部１０６は選択状態が解除されたファイルの表示を元の表示に戻す（ステップＳ１２）。
【００４８】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域でない場合（ステップＳ１０：ＮＯ）、ファイル操作部１０４はその接触された領域のファイルを選択状態に変更し、表示制御部１０６は選択状態に変更されたファイルの表示色を変更する（ステップＳ１１）。
【００４９】
選択状態に変更後（ステップ１１）、または選択状態解除（ステップＳ１２）後に選択状態のファイルが残っている場合（ステップＳ１３：ＹＥＳ）、接触検知部１０２において接触を検知しなくなった場合は（ステップＳ１４：ＹＥＳ）、近接検知部１０３の入力指示部の検知を行う（ステップＳ６）。
【００５０】
選択状態に変更後（ステップ１１）、または選択状態解除（ステップＳ１２）後に選択状態のファイルが残っている場合（ステップＳ１３：ＹＥＳ）、接触検知部１０２において接触を検知している場合は（ステップＳ１４：ＮＯ）、選択状態のファイルに対してドラッグ等のファイル操作を行う（ステップＳ１５）。
【００５１】
図３は近接状態を検知できる領域を図示した模式図である。図３の破線の枠内が近接状態を検知できるとすると、ファイルの選択後にユーザーの指先がこの枠内に収まっていれば、選択状態は解除されないことになる。
【００５２】
本発明の実施の形態１における情報処理装置によれば、ユーザーが指をタッチパネルに近づけている状態を維持しているならば、複数のファイルを複数のタッチで選択することが可能となり、それら複数のファイルを同時に操作することができる。
【００５３】
なお、ステップＳ９において、ファイル表示領域に一定時間の接触検知でファイル操作の判定を行っているが、一定時間でなくてもよい。これによりステップ２つ目以降のファイルの選択操作にかかる時間を少なくすることができる。
【００５４】
選択状態のファイルに対してドラッグ等のファイル操作については、ファイルの選択操作直後、または指定ファイル解除後で接触検知が継続している場合についてのみ記載したが、選択されているファイルが１つ以上ある状態でかつ近接状態を検知している状態ではファイルの表示領域をタッチしてドラッグすることによってファイル操作しても良い。
【００５５】
また画面のスクロールについては、選択されているファイルが１つ以上ある状態でかつ近接状態を検知している状態では、ファイルの表示領域外をタッチしてドラッグすることによってスクロールするとし、その際にファイルの選択状態は解除されないとする。
【００５６】
（実施の形態２）
本発明の実施の形態２について説明する。実施の形態２において特に言及しない点については、実施の形態１と同様である。図４は、本発明の実施の形態２における情報処理装置１００の動作を説明するフローチャートである。
【００５７】
まず、接触検知部１０２がユーザーの入力指示部がタッチパネル１０１のファイル表示領域に一定時間接触していることを検知する（ステップＳ１）。
【００５８】
ファイル操作部１０４が接触位置に表示されているファイルを選択状態に変更し、表示制御部１０６は選択状態に変更されたファイルの表示色を変更する（ステップＳ２）。
【００５９】
接触検知部１０２がユーザーの入力指示部がタッチパネル１０１との接触を検知し続けている場合は（ステップＳ３：ＮＯ）、選択状態のファイルに対してドラッグ等のファイル操作を行う（ステップＳ４）。
【００６０】
接触検知部１０２がユーザーの入力指示部がタッチパネル１０１との接触を検知しなくなった場合は（ステップＳ３：ＹＥＳ）、近接状態処理を実施する（ステップＳ５）。
【００６１】
近接状態処理では、まず近接検知部１０３により入力指示部の近接状態が検知されていない場合は（ステップＳ６：ＮＯ）、ファイル操作部１０４は選択されている全ファイルの選択状態を解除し、表示制御部１０６は選択状態が解除されたファイルの表示を元の表示に戻す（ステップＳ７）。
【００６２】
ステップＳ７での選択状態の解除後の所定の時間内に近接検知部で再度入力指示部の近接状態が検知された場合は（ステップＳ１７：ＹＥＳ）、ファイル選択状態が解除される前の選択状態に復帰し、近接状態処理開始に戻る（ステップＳ１８）。
【００６３】
近接検知部１０３により入力指示部が検知されている場合は（ステップＳ６：ＹＥＳ）、ファイル操作部１０４は現在のファイルの選択状態を維持する（ステップＳ８）。
【００６４】
表示制御部１０６はステップＳ６での近接検知部１０３での入力指示部とタッチパネル１０１の距離の測定結果から、ファイルの選択状態の表示色を変更する。入力指示部とタッチパネルの距離が近ければ色を濃く、遠ければ色を薄くする（ステップＳ１６）。
【００６５】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域だった場合（ステップＳ１０：ＹＥＳ）、ファイル操作部１０４はその接触された領域のファイルの選択状態を解除し、表示制御部１０６は選択状態が解除されたファイルの表示を元の表示に戻す（ステップＳ１２）。
【００６６】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域でない場合（ステップＳ１０：ＮＯ）、ファイル操作部１０４はその接触された領域のファイルを選択状態に変更し、表示制御部１０６は選択状態に変更されたファイルの表示色を変更する（ステップＳ１１）。
【００６７】
選択状態に変更後（ステップ１１）、または選択状態解除（ステップＳ１２）後に選択状態のファイルが残っている場合（ステップＳ１３：ＹＥＳ）、接触検知部１０２において接触を検知しなくなった場合は（ステップＳ１４：ＹＥＳ）、近接検知部１０３の入力指示部の検知を行う（ステップＳ６）。
【００６８】
選択状態に変更後（ステップ１１）、または選択状態解除（ステップＳ１２）後に選択状態のファイルが残っている場合（ステップＳ１３：ＹＥＳ）、接触検知部１０２において接触を検知している場合は（ステップＳ１４：ＮＯ）、選択状態のファイルに対してドラッグ等のファイル操作を行う（ステップＳ１５）。
【００６９】
ここでステップＳ１６における入力指示部とタッチパネル１０１の距離の測定について説明する。近接検知部１０３として、超音波や電磁波の発生装置と入力指示部からの反射を検出する複数のセンサを図５に示すように配置する。各センサは入力指示部とセンサの距離を検出し、その距離をもとに入力指示部をタッチパネルからの距離を算出する。センサ間の距離Ａ、Ｂは既知であり、距離Ｌ０、Ｌ１、Ｌ２が測定されれば、以下の式より距離Ｈが求まる。
【００７０】
【数１】
2015084124.tif 000003
【００７１】
本発明の実施の形態２における情報処理装置によれば、ユーザーが誤って指をタッチパネルから離した場合でも、所定の期間内に指の位置をタッチパネルに近づけることでファイルの選択状態を維持することができる。またユーザーの指がどれだけタッチパネルから離れているか表示画面で確認でき、誤ってファイルの選択状態を解除することを減らすことができる。
【００７２】
（実施の形態３）
本発明の実施の形態３について説明する。実施の形態３において特に言及しない点については、実施の形態１と同様である。図６は本発明の実施の形態３における情報処理装置の構成を示すブロック図である。なお、図６においては、発明にかかる構成のみを図示しており、適応される装置等におけるその他の要素についての図示は省略する。
【００７３】
情報処理装置２００は、タッチパネル１０１、接触検知部１０２、近接検知部１０３、ファイル操作部１０４、記憶部１０５、表示制御部１０６、表示部１０７、および振動部２０８を備えており、複数のファイル等のオブジェクトをタッチパネル１０１の表示部１０７に表示する。
【００７４】
振動部２０８はファイル操作部１０４において、ファイルの選択状態が近接状態非検知により解除された場合に、所定の時間振動する。
【００７５】
図７は、本発明の実施の形態２における情報処理装置１００の動作を説明するフローチャートである。
【００７６】
まず、接触検知部１０２がユーザーの入力指示部がタッチパネル１０１のファイル表示領域に一定時間接触していることを検知する（ステップＳ１）。
【００７７】
ファイル操作部１０４が接触位置に表示されているファイルを選択状態に変更し、表示制御部１０６は選択状態に変更されたファイルの表示色を変更する（ステップＳ２）。
【００７８】
接触検知部１０２がユーザーの入力指示部がタッチパネル１０１との接触を検知し続けている場合は（ステップＳ３：ＮＯ）、選択状態のファイルに対してドラッグ等のファイル操作を行う（ステップＳ４）。
【００７９】
接触検知部１０２がユーザーの入力指示部がタッチパネル１０１との接触を検知しなくなった場合は（ステップＳ３：ＹＥＳ）、近接状態処理を実施する（ステップＳ５）。
【００８０】
近接状態処理では、まず近接検知部１０３により入力指示部の近接状態が検知されていない場合は（ステップＳ６：ＮＯ）、ファイル操作部１０４は選択されている全ファイルの選択状態を解除し、表示制御部１０６は選択状態が解除されたファイルの表示を元の表示に戻す（ステップＳ７）。
【００８１】
ステップＳ７での選択状態の解除後の所定の時間内は振動部２０８において情報処理装置２００を振動させる（ステップＳ１９）。
【００８２】
またステップＳ７での選択状態の解除後の所定の時間内に近接検知部で再度入力指示部の近接状態が検知された場合は（ステップＳ１７：ＹＥＳ）、ファイル選択状態が解除される前の選択状態に復帰し、近接状態処理開始に戻る（ステップＳ１８）。
【００８３】
近接検知部１０３により入力指示部が検知されている場合は（ステップＳ６：ＹＥＳ）、ファイル操作部１０４は現在のファイルの選択状態を維持する（ステップＳ８）。
【００８４】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域だった場合（ステップＳ１０：ＹＥＳ）、ファイル操作部１０４はその接触された領域のファイルの選択状態を解除し、表示制御部１０６は選択状態が解除されたファイルの表示を元の表示に戻す。（ステップＳ１２）。
【００８５】
近接検知部１０３が近接状態を検知してファイルの選択状態を維持している状態で、接触検知部１０２がファイル表示領域に一定時間の接触を検知した場合（ステップＳ９：ＹＥＳ）、その接触された領域が既に選択状態のファイル領域でない場合（ステップＳ１０：ＮＯ）、ファイル操作部１０４はその接触された領域のファイルを選択状態に変更し、表示制御部１０６は選択状態に変更されたファイルの表示色を変更する（ステップＳ１１）。
【００８６】
選択状態に変更後（ステップ１１）、または選択状態解除（ステップＳ１２）後に選択状態のファイルが残っている場合（ステップＳ１３：ＹＥＳ）、接触検知部１０２において接触を検知しなくなった場合は（ステップＳ１４：ＹＥＳ）、近接検知部１０３の入力指示部の検知を行う（ステップＳ６）。
【００８７】
選択状態に変更後（ステップ１１）、または選択状態解除（ステップＳ１２）後に選択状態のファイルが残っている場合（ステップＳ１３：ＹＥＳ）、接触検知部１０２において接触を検知している場合は（ステップＳ１４：ＮＯ）、選択状態のファイルに対してドラッグ等のファイル操作を行う（ステップＳ１５）。
【００８８】
本発明の実施の形態３における情報処理装置によれば、ユーザーの指がタッチパネルから離れていることを振動で確認でき、誤ってファイルの選択状態を解除することを減らすことができる。
【００８９】
ここで、振動部２０８でユーザーの指がタッチパネルから離れていることを振動でユーザーに伝えるようにしているが、振動部２０８のかわりに音を鳴らす音響部にしても良い。それによりユーザーはユーザーの指がタッチパネルから離れていることを音で確認でき、誤ってファイルの選択状態を解除することを減らすことができる。
【００９０】
また、振動部２０８でユーザーの指がタッチパネルから離れていることを振動でユーザーに伝えるようにしているが、表示部１０７で特定のアイコン等を表示させても良い。それによりユーザーはユーザーの指がタッチパネルから離れていることを画面で確認でき、誤ってファイルの選択状態を解除することを減らすことができる。
【００９１】
また、振動部２０８でユーザーの指がタッチパネルから離れていることを振動でユーザーに伝えるようにしているが、振動部２０８のかわりに点灯または消灯する点灯部にしても良い。それによりユーザーはユーザーの指がタッチパネルから離れていることを点灯または消灯で確認でき、誤ってファイルの選択状態を解除することを減らすことができる。
【００９２】
なお、前記各実施の形態において、前述した機能を、ソフトウエアを無線通信装置に読み込ませること等により、ソフトウエアと無線通信装置のハードウエアとの協動により実現してもよい。また、前述した機能を達成するプログラムをサーバから無線通信装置にダウンロードし、インストールするようにしてもよい。
【産業上の利用可能性】
【００９３】
本発明に係る情報処理装置は、タッチパネルの操作性を向上することが可能になるので、タッチパネルを供えた情報処理装置等として有用である。
【符号の説明】
【００９４】
１０１    タッチパネル
１０２    接触検知部
１０３    近接検知部
１０４    ファイル操作部
１０５    記憶部
１０６    表示制御部
１０７    表示部
２０８    振動部
【図１】
2015084124.tif 000004
【図２】
2015084124.tif 000005
【図３】
2015084124.tif 000006
【図４】
2015084124.tif 000007
【図５】
2015084124.tif 000008
【図６】
2015084124.tif 000009
【図７】
2015084124.tif 000010